(57)【特許請求の範囲】
【請求項１】
電子機器ユニットが内部に組み込まれている電子情報機器において、
前記電子機器ユニットは、電子機器ユニット本体が、該電子機器ユニット本体が発生する熱を外部に伝導する熱伝導部材及び該電子機器ユニット本体が発生する音を吸収する吸音部材と共に、音を遮蔽する遮音ケース内に収まっており、該熱伝導部材の一部が該遮音ケースの外部に出ている構成であり、
前記電子機器ユニットが、前記熱伝導部材のうち前記遮音ケースの外部に出ている部分を上記電子情報機器に取り付ける構成の電子情報機器。
【請求項２】
該電子情報機器は、熱伝導部材で形成されており該電子機器ユニットが収まる大きさの電子機器ユニット取り付け部を有し、
前記電子機器ユニットが、前記電子機器ユニット取り付け部に収まって、且つ、前記遮音ケースの外部に出ている熱伝導部材部分を前記電子機器ユニット取り付け部に取り外し可能に固定されて前記電子情報機器に取り付けられている構成の請求項１記載の電子情報機器。
【請求項３】
前記電子機器ユニットは、つかみしろ分が該電子機器ユニット取り付け部から突き出した状態で、該電子機器ユニット取り付け部に収まっている構成の請求項２記載の電子情報機器。
【請求項４】
前記電子機器ユニット取り付け部は金属板製の熱伝導部材でありグランド電位となっており、
前記電子機器ユニットの熱伝導部材は、金属板製の部材であり、前記電子機器本体のグランド端子として機能する構成である請求項３記載の電子情報機器。
【請求項５】
電子機器本体が、該電子機器本体が発生する熱を外部に伝導する熱伝導部材及び該電子機器本体が発生する音を吸収する吸音部材と共に、音を遮蔽する遮音ケース内に収まっており、該熱伝導部材の一部が該遮音ケースの外部に出ている構成とした電子機器ユニット。
【請求項６】
前記熱伝導部材は、金属板製の部材であり、前記電子機器本体のグランド端子として機能する構成とした請求項５記載の電子機器ユニット。
【請求項７】
前記熱伝導部材は、前記電子機器本体の下面に接している下側熱伝導部材と前記電子機器本体の上面に接している上側熱伝導部材とよりなる請求項５記載の電子機器ユニット。
【請求項８】
前記下側熱伝導部材のうち該遮音ケースの外部に出ている部分と、上記上側熱伝導部材のうち該遮音ケースの外部に出ている部分とが嵌合している構成とした請求項７記載の電子機器ユニット。
【請求項９】
電子情報機器に組み込まれて使用される取り外し可能な電子情報機器の電子機器ユニットにおいて、
電子機器本体が、該電子機器本体が発生する熱を外部に伝導する熱伝導部材及び該電子機器本体が発生する音を吸収する吸音部材と共に、音を遮蔽する遮音ケース内に収まっており、該熱伝導部材の一部が該遮音ケースの外部に出ている構成であり、
前記遮音ケースの外部に出ている熱伝導部材に前記電子情報機器と取り外し可能に固定する手段を設けたことを特徴とする電子機器ユニット。
【発明の詳細な説明】
【０００１】
【発明の属する技術分野】
本発明は電子情報機器及び電子機器ユニットに係り、特に内部に電子機器ユニットが組み込まれている構成の電子情報機器、及び電子情報機器に組み込まれる電子機器ユニットに関する。
デスクトップパソコンの普及に伴い、デスクトップパソコンがオフィス及び学校の他に一般家庭でも使用されるようになって来ている。このため、デスクトップパソコンに対しては、ユーザがデスクトップパソコンを利用する環境を配慮した構成が要望されている。音の問題もその一つである。特に、一般家庭で深夜等周りが静かな環境でデスクトップパソコンを使用した場合に、デスクトップパソコンから出る騒音に不満をいだくユーザが増えている。
【０００２】
また、ハードディスク装置は、ハードディスクの回転数を上げ、ヘッドアームの回動する速度を上げて、アクセスの性能の向上が図られており、これに伴って、ハードディスク装置から発生するアクセス動作音も大きくなる傾向にある。
よって、デスクトップパソコンにあっては、ハードディスク装置から発生するアクセス動作音が外に漏れ難くして静音化することが求められている。
【０００３】
また、デスクトップパソコンは、ハードディスク装置の組み込み及び保守がし易い構成であることが望ましい。
【０００４】
【従来の技術】
図１は従来の１例のデスクトップパソコン１０のうちハードディスク装置１１が組み込まれている部分を示す。
デスクトップパソコン本体１２には、その底板１３の上面に、ハードディスク装置収容部１４が設けてある。ハードディスク装置収容部１４は、上側が開口である箱形状であり、底面にシートシンク１５が設けてあり、且つ、一側の内側面側に吸音シート１６が設けてある。
【０００５】
ハードディスク装置１１は、ハードディスク装置収容部１４内に収容されて組み込まれており、更に、吸音シート１７、１８がハードディスク装置１１を覆うように設けてあり、更に、カバー１９が吸音シート１７、１８の上からハードディスク装置１１を覆うように設けてある。
ハードディスク装置１１は、これを囲む吸音シート１６、１７、１８によってアクセス動作音が外に漏れ難くなっている。またハードディスク装置１１で発生する熱は、主にシートシンク１５を通ってデスクトップパソコン本体１２の底板１３から外部に放熱されるようになっている。
【０００６】
このように、デスクトップパソコン１０は、ハードディスク装置１１がデスクトップパソコン本体１２内に組み込まれて始めて、ハードディスク装置１１のアクセス動作音が外部に漏れ難くなる構造となっている。
【０００７】
【発明が解決しようとする課題】
図１のデスクトップパソコン１０は、ハードディスク装置１１をデスクトップパソコン本体１２内に組み込んだ後に、このハードディスク装置１１を覆うように吸音シート１７、１８を設け、更にカバー１９を取り付けた構造であるため、ハードディスク装置１１をデスクトップパソコン本体１２内に組み込んだ後にも作業が必要となり、デスクトップパソコン１０の組み立て作業性を悪くしていた。また、デスクトップパソコン１０をハードディスク装置１１について保守する作業を行う場合には、ハードディスク装置１１をデスクトップパソコン１０から取り外す前に、カバー１９を取り外す作業、及び吸音シート１７、１８を取り外す作業が必要となり、ハードディスク装置１１の保守作業がしにくかった。
【０００８】
また、ハードディスク装置収容部１４及びカバー１９は、デスクトップパソコン１０専用のものであり、デスクトップパソコンの機種が相違すれば上記のハードディスク装置収容部１４及びカバー１９は使用出来ず、ハードディスク装置収容部はデスクトップパソコンの機種毎に設計する必要があった。
そこで、本発明は上記課題を解決した電子情報機器及び電子機器ユニットを提供することを目的とする。
【０００９】
【課題を解決するための手段】
請求項１の発明は、電子機器ユニットが内部に組み込まれている電子情報機器において、
前記電子機器ユニットは、電子機器ユニット本体が、該電子機器ユニット本体が発生する熱を外部に伝導する熱伝導部材及び該電子機器ユニット本体が発生する音を吸収する吸音部材と共に、音を遮蔽する遮音ケース内に収まっており、該熱伝導部材の一部が該遮音ケースの外部に出ている構成であり、
前記電子機器ユニットが、前記熱伝導部材のうち前記遮音ケースの外部に出ている部分を上記電子情報機器に取り付ける構成としたものである。
【００１０】
電子機器ユニットは、静音化する構造と放熱する構造とが組み込まれた状態でユニット化されており、汎用性を有する構成である。よって、電子機器ユニットは、複数の機種の電子情報機器に適用が可能となり、各機種の電子情報機器の製造コストを安価にすることが可能となる。
また、電子機器ユニットが１つのユニットとして電子情報機器へ取り付けることが可能となり、これによって、電子情報機器の組み立て作業がし易くなる。また、電子機器ユニットの保守及び修理もし易くなる。
【００１１】
請求項２の発明は、該電子情報機器は、熱伝導部材で形成されており該電子機器ユニットが収まる大きさの電子機器ユニット取り付け部を有し、
前記電子機器ユニットが、前記電子機器ユニット取り付け部に収まって、且つ、前記遮音ケースの外部に出ている熱伝導部材部分を前記電子機器ユニット取り付け部に取り外し可能に固定されて前記電子情報機器に取り付けられている構成としたものである。
【００１２】
各機種の電子情報機器は、電子機器ユニットの取り付けが可能な構造となる。
請求項３の発明は、前記電子機器ユニットは、つかみしろ分が該電子機器ユニット取り付け部から突き出した状態で、該電子機器ユニット取り付け部に収まっている構成としたものである。
作業者は電子機器ユニットをそのつかみしろをつかんで取り扱うことが可能となり、よって、電子機器ユニットの電子機器ユニット取り付け部へ取り付ける作業及び電子機器ユニットを電子機器ユニット取り付け部から取り外す作業が作業性良くなされる。
【００１３】
請求項４の発明は、前記電子機器ユニット取り付け部は金属板製の熱伝導部材でありグランド電位となっており、
前記電子機器ユニットの熱伝導部材は、金属板製の部材であり、前記電子機器本体のグランド端子として機能する構成としたものである。
熱伝導部材がグランド端子として機能するため、グランド端子を特別に設けなくても済むようになる。
【００１４】
請求項５の発明は、電子機器本体が、該電子機器本体が発生する熱を外部に伝導する熱伝導部材及び該電子機器本体が発生する音を吸収する吸音部材と共に、音を遮蔽する遮音ケース内に収まっており、該熱伝導部材の一部が該遮音ケースの外部に出ている構成としたものである。
この構成は、電子機器ユニットを、静音化する構造と放熱する構造とが組み込まれた状態でユニット化されたものとする。
【００１５】
請求項６の発明は、前記熱伝導部材は、金属板製の部材であり、前記電子機器本体のグランド端子として機能する構成としたものである。
熱伝導部材がグランド端子として機能するため、グランド端子を特別に設けなくても済むようになる。
請求項７の発明は、前記熱伝導部材は、前記電子機器本体の下面に接している下側熱伝導部材と前記電子機器本体の上面に接している上側熱伝導部材とよりなる構成としたものである。
【００１６】
下側熱伝導部材と上側熱伝導部材とを設けたことによって、電子機器ユニット本体の熱を電子機器ユニットの外部へ逃がす経路が２つとなり、放熱効果が高くなる。
請求項８の発明は、前記下側熱伝導部材のうち該遮音ケースの外部に出ている部分と、上記上側熱伝導部材のうち該遮音ケースの外部に出ている部分とが嵌合している構成としたものである。
【００１７】
下側熱伝導部材と上側熱伝導部材とが嵌合していることによって、下側熱伝導部材と上側熱伝導部材とが互いに拘束されて位置ずれをおこさないようになる。請求項９の発明は、電子情報機器に組み込まれて使用される取り外し可能な電子情報機器の電子機器ユニットにおいて、
電子機器本体が、該電子機器本体が発生する熱を外部に伝導する熱伝導部材及び該電子機器本体が発生する音を吸収する吸音部材と共に、音を遮蔽する遮音ケース内に収まっており、該熱伝導部材の一部が該遮音ケースの外部に出ている構成であり、
前記遮音ケースの外部に出ている熱伝導部材に前記電子情報機器と取り外し可能に固定する手段を設けた構成としたものである。
【００１８】
遮音ケースの外部に出ている熱伝導部材に電子情報機器と取り外し可能に固定する手段を設けた構成は、電子機器ユニットをその電子機器本体の熱を外部に放熱できる状態で電子情報機器に取り付けることが可能となる。
【００１９】
【発明の実施の形態】
図２（Ａ），（Ｂ）は本発明の一実施例になる電子情報機器３０を示す。電子情報機器３０は、液晶ディスプレイ一体型ディスクトップパソコンであり、本体３１と、本体３１の前面側の液晶表示部３２とよりなる。Ｘ１，Ｘ２は電子情報機器３０の幅方向、Ｙ１，Ｙ２は奥行き方向、Ｚ１，Ｚ２は高さ方向である。
【００２０】
本体３１の内部のうち底の近くには、ハードディスク装置取り付け部３３が設けてある。ハードディスク装置取り付け部３３は、図３（Ａ），（Ｂ）に併せて示すように、金属底板３４と金属上板３５と金属側面板３６、３７とによって囲まれている直方体形状の空間であって、後述するハードディスク装置のサイズに対応した大きさである。金属側面板３６には、ねじが通されるねじ止め用の穴３６ａ，３６ｂが形成してある。金属上板３５には、二つの開口３５ａ，３５ｂが形成してある。ハードディスク装置取り付け部３３は、電子情報機器３０のグランド電位となっている。ハードディスク装置取り付け部３３内にハードディスク装置４０が収容されて組み込まれている。
【００２１】
次に、上記の電子情報機器３０に組み込んであるハードディスク装置４０について説明する。
先ず、概略的に説明する。ハードディスク装置４０は、図４乃至図７に示すように、ハードディスク装置本体４１が、その下面に下側熱伝導板４２が密着され、上面に上側熱伝導板４３が密着され、且つ、吸音シート４４が下側熱伝導板４２及び上側熱伝導板４３の外側から巻いて包んでおり、これが、下側カバー４５と上側ケース４６とよりなる遮音ケース４７の内部に収容されている構成である。
【００２２】
図５に示すように、ハードディスク装置本体４１は、通常のハードディスク装置本体であり、内部に、ハードディスク４１ａ，ヘッドアクチュエータ４１ｂを有する構造であり、ケースは金属製である。
次に、吸音シート４４、遮音ケース４７、下側熱伝導板４２、上側熱伝導板４３の機能及び構成にについて説明する。
【００２３】
吸音シート４４は、ハードディスク装置本体４１で発生したアクセス音を減衰させて静音化する機能を有する。遮音ケース４７は吸音シート４４がハードディスク装置本体４１を包むように押さえると共に、ハードディスク装置本体４１を密閉して、ハードディスク装置本体４１で発生したアクセス音が外部に漏れにくいようにして静音化する機能を有する。
【００２４】
下側熱伝導板４２は、ハードディスク装置本体４１の底面４１ｃの熱をハードディスク装置４０の外部にまで速やかに熱伝導させる機能を有する。
上側熱伝導板４３は、ハードディスク装置本体４１の上面４１ｄの熱をハードディスク装置４０の外部にまで速やかに熱伝導させる機能を有する。
下側熱伝導板４２は、アルミニウム製であり、ハードディスク装置本体４１の底面４１ｃにねじ５０、５１で固定してあり、ハードディスク装置本体４１の底面４１ｃの周囲寄りの部分に確実に密着してある。よって、ハードディスク装置本体４１の底面４１ｃと下側熱伝導板４２との間の熱抵抗は低くなっており、且つ、下側熱伝導板４２とハードディスク装置本体４１との電気的接続も確実になされている。下側熱伝導板４２のＸ１方向端のＺ１方向への折り曲げ部４２ａは下側カバー４５の切り欠き部４５ａを通って遮音ケース４７の外に出ている。この折り曲げ部４２ａには、２つの爪４２ｂ，４２ｃが形成してあり、且つ、ねじ孔４２ｆを有する。また、下側熱伝導板４２は、折り曲げ部４２ａの近くの部分から少し幅広となっており、段部４２ｄ，４２ｅが形成してある。この段部４２ｄ，４２ｅが下側カバー４５の内側に係止されて、下側熱伝導板４２は遮音ケース４７からＸ１方向に抜け出すことを制限されている。また、下側熱伝導板４２の中央部分は、周囲の部分から少し凹んでいる。ハードディスク装置本体４１の内部に組み込まれている電子部品の端子の一部が底面４１ｃ側に突き出している場合があり、この突き出している端子を接触しないようにするためである。
【００２５】
上側熱伝導板４３は、アルミニウム製であり、上側ケース４６のスリット４６ｂを通して遮音ケース４７内に挿入されており、ハードディスク装置本体４１の上面４１ｄに押し付けられて上面４１ｄの全面に密着してある。この押し付け力は、後述するように吸音シート４４の弾性力によって得ている。上側熱伝導板４３は、Ｘ１方向端にＺ２方向への折り曲げ部４３ａを有する。この折り曲げ部４３ａには、２つのブリッジ部４３ｂ，４３ｃと１つのねじ孔４３ｆとが形成してある。ブリッジ部４３ｂ，４３ｃは、Ｘ２方向に切り起こして形成してあり、上記の爪４２ｂ，４２ｃと対応した位置にあり、爪４２ｂ，４２ｃが丁度嵌合する大きさである。
【００２６】
下側カバー４５と上側ケース４６とが組み合わされた状態で、図８に示すように、爪４２ｂ，４２ｃが対応するブリッジ部４３ｂ，４３ｃに嵌合している。これによって、上側熱伝導板４３が拘束され、上側熱伝導板４３と下側熱伝導板４２とが位置ずれをおこさないようになっている。
上側ケース４６は、ＡＢＳ樹脂製であり、四角形の箱形状であり、Ｘ１方向側の側板のうち天板部４６ｄ寄りの部位にスリット４６ａを有し、周囲の側板の下端縁近くの外周面にフランジ４６ｂを有し、Ｙ１，Ｙ２側の側板の外側面に２つずつ爪部４６ｃを有し、且つ、天板部４６ｄの上面に、取外し用リブ４６ｅ，４６ｆ、ストッパリブ４６ｇ，固定用爪４６ｈ，４６ｉが形成してある。
【００２７】
下側カバー４５は、ＡＢＳ樹脂製であり、Ｘ１方向側に切り欠き部４５ａ、Ｘ２方向側に電線引出し用切り欠き部４５ｂを有し、Ｙ１，Ｙ２側の辺に２つずつフック４５ｃを有する。
下側カバー４５と上側ケース４６とは、下側カバー４５が上側ケース４６の外側に嵌合し、４つのフック４５ｃが対応する爪部４６ｃを係止して結合してあり、遮音ケース４７が形成してある。下側カバー４５の周囲の淵がフランジ４６ｂに当たっており、遮音ケース４７は密封度が高められている。
【００２８】
吸音シート４４は、ポリウレタン製であり、ハードディスク装置本体４１を下側熱伝導板４２及び上側熱伝導板４３の外側から巻いて包んでおり、図４及び図５に示すように、下側熱伝導板４２と下側カバー４５との間を占めるシート部分４４ａと、上側熱伝導板４３と上側ケース４６の天板部４６ｄとの間を占めるシート部分４４ｂと、ハードディスク装置本体４１の側面と上側ケース４６の側面板との間を占めるシート部分４４ｃ、４４ｄとよりなる。
【００２９】
５２はフレキシブルケーブルであり、先端のコネクタがハードディスク装置本体４１のＸ２方向端のコネクタに接続してあり、ハードディスク装置本体４１よりＸ２方向に引き出されており、切り欠き部４５ｂを通ってハードディスク装置４０の外に延びている。
以上が、ハードディスク装置４０の構成である。
【００３０】
ハードディスク装置４０は、一つのユニットとして取り扱うことが可能である構造であり、吸音シート４４と遮音ケース４７とによって静音化されており、且つ、下側熱伝導板４２と上側熱伝導板４３とによってハードディスク装置本体４１内で発生した熱を遮音ケース４７の外側に円滑に導き出させるようになっている。
【００３１】
このハードディスク装置４０は、図３（Ａ），（Ｂ）に示すように、水平の姿勢で、Ｙ２方向に、ハードディスク装置取り付け部３３内にストッパリブ４６ｇが金属上板３５のＹ１方向の縁３５ｃに当たる位置まで挿入し、ストッパリブ４６ｇが金属上板３５の縁３５ｃに当たり、固定用爪４６ｈ，４６ｉが開口３５ａ，３５ｂに係合した状態で取り付けられ、更には、金属側面板３６の外側面からねじ５３、５４をねじ止め用の穴３６ａ，３６ｂを通しねじ孔４３ｆ、４２ｆに螺合させて締めることによってハードディスク装置取り付け部３３内に取り付けてある。下側熱伝導板４２の折り曲げ部４２ａ及び上側熱伝導板４３の折り曲げ部４３ａが、金属側面板３６の内側面に密着してある。
【００３２】
これによって、電子情報機器３０は、例えば、一般家庭で深夜等周りが静かな環境で使用した場合にも、ハードディスク装置本体４１が発生するアクセス動作音が気にならない程度に静音化されている。よって、電子情報機器３０は周りが静かな環境でも周りを気にせずに使用することが可能である。
また、ハードディスク装置本体４１が発生した熱は、図６中、符号１００で示すように、下側熱伝導板４２と上側熱伝導板４３との二つの経路で、遮音ケース４７の外側に導き出されて、金属側面板３６に伝導され、金属側面板３６の表面から空気中に放熱される。よって、ハードディスク装置本体４１は遮音ケース４７内に密封されているけれども、ハードディスク装置本体４１内で発生した熱は外部に効率よく放熱され、ハードディスク装置本体４１は支障なく動作し続ける。
【００３３】
また、ハードディスク装置本体４１は下側熱伝導板４２にねじ止めしてあり、下側熱伝導板４２は金属側面板３６にねじ止めしてあるため、電子情報機器３０に強い衝撃が作用した場合にも、ハードディスク装置本体４１が遮音ケース４７内で動いてしまう不都合は起きない。
また、下側熱伝導板４２はハードディスク装置本体４１のグランド端子としての役割も有しており、ハードディスク装置本体４１の筐体は、ねじ止めしてある下側熱伝導板４２を通して金属側面板３６と同じ電位、即ち、グランド電位とされている。よって、この点からも、ハードディスク装置本体４１は支障なく動作する。また、下側熱伝導板４２がグランド端子として機能するため、グランド端子を特別に設けなくても済み、また、グランド端子の接続を別途行う必要もなく、電子情報機器３０の組み立て作業はその分簡単となる。
【００３４】
なお、図３（Ｂ）に示すように、ハードディスク装置４０は、符号４０ａで示す部分がハードディスク装置取り付け部３３からＹ１方向に突き出している。符号４０ａで示す部分は作業者が手でハードディスク装置４０をつかむつかみしろとして利用されるためのものである。このつかみしろ４０ａが存在することによって、ハードディスク装置４０の電子情報機器３０への取り付け、取外しが簡単となる。
【００３５】
次に、電子情報機器３０のうちハードディスク装置４０の部分の組み立て及びハードディスク装置本体４１の保守、修理について説明する。
ハードディスク装置４０は、一つのユニットとして取り扱うことが可能である構造であるため、ユニットとしての着脱が可能である。
電子情報機器３０のハードディスク装置４０の部分を組み立てるときには、作業者が、ハードディスク装置４０をそのつかみしろ４０ａをつかみ、図２（Ａ），（Ｂ）に示すように、水平の姿勢で、Ｙ２方向に、ハードディスク装置取り付け部３３内にストッパリブ４６ｇが金属上板３５のＹ１方向の縁３５ｃに当たる位置まで挿入し、次いで、金属側面板３６の外側面からねじ５３、５４をねじ止め用の穴３６ａ，３６ｂを通しねじ孔４３ｆ、４２ｆに螺合させて締めることによってハードディスク装置取り付け部３３内に取り付けられる。よって、ハードディスク装置４０の取り付け作業は作業性良くなされる。これによって、電子情報機器３０の組み立て作業は作業性良くなされる。
【００３６】
ハードディスク装置本体４１の保守、修理は、作業者が、電子情報機器３０の裏カバーを取外し、ねじ５３、５４を外し、固定用爪４６ｈ，４６ｉを押し込み、指先を取外し用リブ４６ｅ，４６ｆに引っかけて、手でつかみしろ４０ａをつかみ、Ｙ１方向に引いて、ハードディスク装置４０をハードディスク装置取り付け部３３から取外し、別のハードディスク装置４０を上記とは逆の操作でハードディスク装置取り付け部３３に取り付けることによって、作業性良くなされる。
【００３７】
上記の作業によって、ハードディスク装置本体４１が新しいハードディスク装置本体と交換される。
次に、上記のハードディスク装置４０の組み立てについて説明する。
ハードディスク装置４０の組み立ては、上側ケース４６を上下反転した向きで下側の位置に配置し、図４に示す姿勢とは上下反転させた姿勢で、下から順に組み立てることによって行う。
【００３８】
先ず、図９（Ａ），（Ｂ）の下側の部分に示すように、ハードディスク装置本体４１を包む長さの吸音シート４４を用意し、上側ケース４６を上下反転した向きとし、この内側に沿って吸音シート４４をその一端側から接着し、上側熱伝導板４３を上側ケース４６のスリット４６ｂを通して上側ケース４６内であって、吸音シート４４の上側に挿入する。
【００３９】
次いで、下側熱伝導板４２がねじ５０、５１によって固定してあるハードディスク装置本体４１を、上下反転した姿勢で上側ケース４６内に収める。この際、下側熱伝導板４２の爪４２ｂ，４２ｃが上側熱伝導板４３のブリッジ部４３ｂ，４３ｃ内に嵌合する。
次いで、上側ケース４６より上に延びている吸音シート４４を図１０に示すように折り曲げて下側熱伝導板４２を覆うようにし、この状態で、下側カバー４５を上側ケース４６の上側を塞ぐように取り付ける。下側カバー４５は下向きに押し付けるだけで、爪部４６ｃがフック４５ｃと係止されて、下側カバー４５が取り付けられる。
【００４０】
ハードディスク装置４０は、一つのユニットとして取り扱われ、運搬時等衝撃を受けることが考えられる。ハードディスク装置４０は、以下に述べるように、このことを考慮した構成となっている。
下側熱伝導板４２は段部４２ｄ，４２ｅが下側カバー４５の内側に係止されて、遮音ケース４７から抜け出ないようになっており、且つ、上側熱伝導板４３も下側熱伝導板４２の一部と係合されており遮音ケース４７から抜け出ないようになっている。よって、組み立てたハードディスク装置４０の運搬中に、下側熱伝導板４２及び上側熱伝導板４３が遮音ケース４７から抜け出たりする不都合は起きない。また、ハードディスク装置本体４１は下側熱伝導板４２にねじ止めしてあり、下側熱伝導板４２は遮音ケース４７に対して動かないようになっているため、組み立てたハードディスク装置４０の運搬中に振動が加わっても、ハードディスク装置本体４１が遮音ケース４７内で動いてしまう不都合は起きない。
【００４１】
また、ハードディスク装置４０は、静音化する構造と放熱する構造とが組み込まれた状態でユニット化されているため、電子情報機器についてみると、各機種ごとに、ハードディスク装置取り付け部の構造を変える必要はなく、複数の機種の電子情報機器について、ハードディスク装置取り付け部を同じ構成とすることが出来る。よって、この点でも、各機種の電子情報機器の製造コストを安価にできる。即ち、ハードディスク装置４０は汎用性を有する構成である。
【００４２】
図１１は本発明のＣＤ−ＲＯＭ装置６０を示す。ＣＤ−ＲＯＭ装置６０は、ＣＤ−ＲＯＭ装置本体６１の上面に熱伝導板６２が固定してあり、熱伝導板付きのＣＤ−ＲＯＭ装置本体６１が、その上面側の吸音シート６３及び下面側の吸音シート６４と共に、上側ケース６５と下側カバー６６とよりなる遮音ケース６７内に組み込まれている構造である。熱伝導板６２の一端側の上方への折り曲げ部６２ａは、遮音ケース６７より後方に突き出ている。この折り曲げ部６２ａにねじ孔６２ｂが形成してある。ＣＤ−ＲＯＭ装置本体６１の操作面６１ａは、遮音ケース６７の前面に突き出ている。
【００４３】
ＣＤ−ＲＯＭ装置６０は、ねじ孔６２ｂにねじ込まれたねじによって、電子情報機器にねじ止めされて取り付けられる。
なお、本発明は、ハードディスク装置、ＣＤ−ＲＯＭ装置以外のディスク装置にも適用可能である。
以上の説明に関して更に以下の項を開示する。
【００４４】
請求項１の発明は、ディスク装置が内部に組み込まれている情報処理装置において、
上記ディスク装置は、ディスク装置本体が、該ディスク装置本体が発生する熱を外部に伝導する熱伝導部材及び該ディスク装置本体が発生する音を吸収する吸音部材と共に、音を外部に漏れにくくする遮音ケース内に収まっており、該熱伝導部材の一部が該遮音ケースの外部に出ている構成であり、
該ディスク装置が、上記熱伝導部材のうち該遮音ケースの外部に出ている部分を上記情報処理装置に取り付けられて上記情報処理装置の内部に組み込まれている構成したものである。
【００４５】
ディスク装置は、静音化する構造と放熱する構造とが組み込まれた状態でユニット化されており、汎用性を有する構成である。よって、ディスク装置は、複数の機種の情報処理装置に適用が可能となり、各機種の情報処理装置の製造コストを安価にすることが可能となる。
また、ディスク装置が１つのユニットとして情報処理装置へ取り付けることが可能となり、これによって、情報処理装置の組み立て作業がし易くなる。また、ディスク装置の保守及び修理もし易くなる。
【００４６】
請求項２の発明は、該情報処理装置は、金属板でもって形成されており該ディスク装置が収まる大きさのディスク装置取り付け部を有し、
該ディスク装置が、該ディスク装置取り付け部に収まって、且つ、上記熱伝導部材のうち該遮音ケースの外部に出ている部分を上記ディスク装置取り付け部にねじ止めされて上記情報処理装置に取り付けられている構成としたものである。
【００４７】
各機種の情報処理装置は、ねじ止め用の穴の位置を適宜決めるだけで、ディスク装置の取り付けが可能な構造となる。
請求項３の発明は、ディスク装置は、つかみしろ分が該ディスク装置取り付け部から突き出した状態で、該ディスク装置取り付け部に収まっている構成としたものである。
【００４８】
作業者はディスク装置をそのつかみしろをつかんで取り扱うことが可能となり、よって、ディスク装置のディスク装置取り付け部へ取り付ける作業及びディスク装置をディスク装置取り付け部から取り外す作業が作業性良くなされる。
請求項４の発明は、該情報処理装置の上記ディスク装置取り付け部はグランド電位となっており、
該ディスク装置の熱伝導部材は、金属板製の部材であり、上記ディスク装置本体のグランド端子として機能する構成としたものである。
【００４９】
熱伝導部材がグランド端子として機能するため、グランド端子を特別に設けなくても済むようになる。
請求項５の発明は、ディスク装置本体が、該ディスク装置本体が発生する熱を外部に伝導する熱伝導部材及び該ディスク装置本体が発生する音を吸収する吸音部材と共に、音を外部に漏れにくくする遮音ケース内に収まっており、該熱伝導部材の一部が該遮音ケースの外部に出ている構成としたものである。
【００５０】
この構成は、ディスク装置を、静音化する構造と放熱する構造とが組み込まれた状態でユニット化されたものとする。
請求項６の発明は、該熱伝導部材は、金属板製の部材であり、上記ディスク装置本体のグランド端子として機能する構成としたものである。
熱伝導部材がグランド端子として機能するため、グランド端子を特別に設けなくても済むようになる。
【００５１】
請求項７の発明は、該熱伝導部材は、上記ディスク装置本体とねじ止めしてある構成としたものである。
ねじ止めは、熱伝導部材のディスク装置本体への密着を確実にする。
請求項８の発明は、熱伝導部材は、上記ディスク装置本体の下面に接している下側熱伝導部材と該ディスク装置本体の上面に接している上側熱伝導部材とよりなる構成としたものである。
【００５２】
下側熱伝導部材と上側熱伝導部材とを設けたことによって、ディスク装置本体の熱をディスク装置の外部へ逃がす経路が２つとなり、放熱効果が高くなる。
請求項９の発明は、上記下側熱伝導部材のうち該遮音ケースの外部に出ている部分と、上記上側熱伝導部材のうち該遮音ケースの外部に出ている部分とが嵌合している構成としたものである。
【００５３】
下側熱伝導部材と上側熱伝導部材とが嵌合していることによって、下側熱伝導部材と上側熱伝導部材とが互いに拘束されて位置ずれをおこさないようになる。
【００５４】
【発明の効果】
以上説明したように、請求項１の発明によれば、電子機器ユニットが内部に組み込まれている電子情報機器において、前記電子機器ユニットは、電子機器ユニット本体が、該電子機器ユニット本体が発生する熱を外部に伝導する熱伝導部材及び該電子機器ユニット本体が発生する音を吸収する吸音部材と共に、音を遮蔽する遮音ケース内に収まっており、該熱伝導部材の一部が該遮音ケースの外部に出ている構成であり、前記電子機器ユニットが、前記熱伝導部材のうち前記遮音ケースの外部に出ている部分を上記電子情報機器に取り付ける構成であるため、電子機器ユニットは、静音化する構造と放熱する構造とが組み込まれた状態でユニット化されており、よって、各機種ごとに、電子機器ユニット取り付け部の構造を変える必要はなく、複数の機種の電子情報機器について、電子機器ユニット取り付け部を同じ構成とすることが出来る。よって、各機種の電子情報機器の製造コストを安価に出来る。また、電子機器ユニットが１つのユニットとして電子情報機器へ取り付けることが可能となり、これによって、電子情報機器の組み立て作業がし易くなる。また、電子機器ユニットの保守及び修理もし易くなる。よって、組み立て作業がし易く、且つ、電子機器ユニットの保守及び修理もし易い、電子情報機器を実現出来る。
【００５５】
請求項２の発明は、該電子情報機器は、熱伝導部材で形成されており該電子機器ユニットが収まる大きさの電子機器ユニット取り付け部を有し、前記電子機器ユニットが、前記電子機器ユニット取り付け部に収まって、且つ、前記遮音ケースの外部に出ている熱伝導部材部分を前記電子機器ユニット取り付け部に取り外し可能に固定されて前記電子情報機器に取り付けられている構成としたものであるため、各機種の電子情報機器は電子機器ユニットの取り付けが可能な構造に出来、各機種の電子情報機器の製造コストを安価に出来る。
【００５６】
請求項３の発明は、前記電子機器ユニットは、つかみしろ分が該電子機器ユニット取り付け部から突き出した状態で、該電子機器ユニット取り付け部に収まっている構成としたものであるため、作業者は電子機器ユニットをそのつかみしろをつかんで取り扱うことが可能となり、よって、電子機器ユニットの電子機器ユニット取り付け部へ取り付ける作業及び電子機器ユニットを電子機器ユニット取り付け部から取り外す作業を作業性良く行うことが出来る。
【００５７】
請求項４の発明は、前記電子機器ユニット取り付け部は金属板製の熱伝導部材でありグランド電位となっており、前記電子機器ユニットの熱伝導部材は、金属板製の部材であり、前記電子機器本体のグランド端子として機能する構成であり、熱伝導部材がグランド端子として機能するため、グランド端子を特別に設けなくても済むようになり、構成を簡単に出来、且つ、グランド端子の接続作業が不要となり、電子機器ユニットを電子機器ユニット取り付け部へ取り付ける作業を簡単に出来る。
【００５８】
請求項５の発明は、電子機器本体が、該電子機器本体が発生する熱を外部に伝導する熱伝導部材及び該電子機器本体が発生する音を吸収する吸音部材と共に、音を遮蔽する遮音ケース内に収まっており、該熱伝導部材の一部が該遮音ケースの外部に出ている構成としたものであるため、電子機器ユニットを、静音化する構造と放熱する構造とが組み込まれた状態でユニット化されたものなり、複数の機種の電子情報機器に取り付けることが可能であり、汎用性の高い電子機器ユニットを実現出来る。
【００５９】
請求項６の発明は、前記熱伝導部材は、金属板製の部材であり、前記電子機器本体のグランド端子として機能する構成としたものであり、熱伝導部材がグランド端子として機能するため、グランド端子を特別に設けなくても済むように出来る。
請求項７の発明は、前記熱伝導部材は、前記電子機器本体の下面に接している下側熱伝導部材と前記電子機器本体の上面に接している上側熱伝導部材とよりなる構成であり、下側熱伝導部材と上側熱伝導部材とを設けたことによって、電子機器ユニット本体の熱を電子機器ユニットの外部へ逃がす経路が２つとなり、放熱効果が高くなる。
【００６０】
請求項８の発明は、前記下側熱伝導部材のうち該遮音ケースの外部に出ている部分と、上記上側熱伝導部材のうち該遮音ケースの外部に出ている部分とが嵌合している構成としたものであるため、下側熱伝導部材と上側熱伝導部材とが嵌合していることによって、下側熱伝導部材と上側熱伝導部材とが互いに拘束されて位置ずれをおこさないように出来、電子機器ユニットの取り扱いを安心して行うことが出来る。
【００６１】
請求項９の発明は、電子情報機器に組み込まれて使用される取り外し可能な電子情報機器の電子機器ユニットにおいて、電子機器本体が、該電子機器本体が発生する熱を外部に伝導する熱伝導部材及び該電子機器本体が発生する音を吸収する吸音部材と共に、音を遮蔽する遮音ケース内に収まっており、該熱伝導部材の一部が該遮音ケースの外部に出ている構成であり、  前記遮音ケースの外部に出ている熱伝導部材に前記電子情報機器と取り外し可能に固定する手段を設けた構成としたものであるため、遮音ケースの外部に出ている熱伝導部材に電子情報機器と取り外し可能に固定する手段を設けた構成は、電子機器ユニットをその電子機器本体の熱を外部に放熱できる状態で電子情報機器に取り付けることが出来る。
【図面の簡単な説明】
【図１】従来例を示す図である。
【図２】本発明の一実施例になる電子情報機器を示す図である。
【図３】図２の電子情報機器へのハードディスク装置の取り付け状態を示す図である。
【図４】本発明の一実施例になるハードディスク装置を示す斜視図である。
【図５】図４のハードディスク装置の分解斜視図である。
【図６】図４中、ＶＩ−ＶＩ線を含む垂直面で切断したハードディスク装置の断面図である。
【図７】図４中、VII-VII 線を含む垂直面で切断したハードディスク装置の断面図である。
【図８】上側熱伝導板と下側熱伝導板との組み合わせを示す図である。
【図９】ハードディスク装置の組み立てを説明する図である。
【図１０】ハードディスク装置の組み立てを説明する図である。
【図１１】本発明の一実施例になるＣＤ−ＲＯＭ装置を示す図である。
【符号の説明】
３０  電子情報機器
３１  本体
３２  液晶表示部
３３  ハードディスク装置取り付け部
３６  金属側面板
３６ａ，３６ｂ  ねじ止め用の穴
４０  ハードディスク装置
４１  ハードディスク装置本体
４２  下側熱伝導板
４３  上側熱伝導板
４４  吸音シート
４５  下側カバー
４６  上側ケース
４７  遮音ケース
５０、５１、５３、５４  ねじ
【図１】
0003712545.tif 000002
【図２】
0003712545.tif 000003
【図３】
0003712545.tif 000004
【図４】
0003712545.tif 000005
【図５】
0003712545.tif 000006
【図６】
0003712545.tif 000007
【図７】
0003712545.tif 000008
【図８】
0003712545.tif 000009
【図９】
0003712545.tif 000010
【図１０】
0003712545.tif 000011
【図１１】
0003712545.tif 000012